(57)【要約】【課題】鉄筋に対して桟木を簡易に固定することが可能な桟木固定具を提供する。【解決手段】桟木を鉄筋に固定するための桟木固定具であって、鉄筋を径方向外側から挟持する鉄筋挟持部と、前記鉄筋の長手方向における一方側と他方側から桟木を挟持する桟木挟持部と、を備えている。【選択図】図１
2017002666.tif 000002
【特許請求の範囲】
【請求項１】
桟木（３０）を鉄筋（４０）に固定するための桟木固定具（１０）であって、
鉄筋を径方向外側から挟持する鉄筋挟持部（１４、１５）と、
前記鉄筋の長手方向における一方側と他方側から桟木を挟持する桟木挟持部（１２、１３）と、
を備えた桟木固定具。
【請求項２】
前記鉄筋は、径方向外側に突出した凸部（４３）を長手方向における所定の間隔で有する異形棒鋼であり、
前記鉄筋挟持部が前記鉄筋を径方向外側から挟持している状態で前記凸部を貫通させる固定穴（１１ａ）を有しており、
前記固定穴の縁の一部は、前記鉄筋挟持部が前記鉄筋を径方向外側から挟持している状態で前記凸部に対する前記鉄筋の長手方向の一方側と他方側に沿うように設けられている、
請求項１に記載の桟木固定具。
【請求項３】
前記桟木挟持部は、前記鉄筋の長手方向における一方側と他方側において桟木の面と対面するように広がった第１桟木挟持面部（１２）および第２桟木挟持面部（１３）と、前記第１桟木挟持面部から前記第２桟木挟持面部に向けて突出した第１固定爪部（１２ｂ）と、前記第２桟木挟持面部から前記第１桟木挟持面部に向けて突出した第２固定爪部（１３ｂ）と、を有している、
請求項１または２に記載の桟木固定具。
【請求項４】
樹脂によって一体的に構成されている、
請求項１から３のいずれか１項に記載の桟木固定具。
【発明の詳細な説明】
【技術分野】
【０００１】
本発明は、桟木固定具に関する。
【背景技術】
【０００２】
従来より、建設現場においては、コンクリートの型枠を設けるため等の用途で桟木が用いられている。
【０００３】
例えば、特許文献１（特開２００４−２６３４１１号公報）に記載の例では、鉛直に伸びる杭に対して、桟木をワイヤで巻き付けて固定することで、コンクリートの型枠を形成する例が開示されている。また、鉛直方向に伸びる鉄筋において桟木を支持するための鉄筋からなるアームを設け、当該アームに桟木を支持させる例が開示されている。
【発明の概要】
【発明が解決しようとする課題】
【０００４】
ところが、上述したように桟木をワイヤで巻き付けて杭に固定する場合には、固定作業が繁雑であり、ワイヤによる固定が不十分である場合には桟木が固定位置からズレたり脱落したりする問題がある。
【０００５】
また、上述の鉛直部分とアーム部分とを備えた鉄筋を用いる場合には、このような特別な鉄筋を容易する必要がある。
【０００６】
本発明の課題は、上述した点に鑑みてなされたものであり、鉄筋に対して桟木を簡易に固定することが可能な桟木固定具を提供することにある。
【課題を解決するための手段】
【０００７】
第１観点に係る桟木固定具は、桟木を鉄筋に固定するための桟木固定具であって、鉄筋挟持部と、桟木挟持部と、を備えている。鉄筋挟持部は、鉄筋を径方向外側から挟持する。桟木挟持部は、鉄筋の長手方向における一方側と他方側から桟木を挟持する。
【０００８】
この桟木固定具は、鉄筋挟持部を用いて鉄筋に固定し、桟木を桟木挟持部に固定させることで、鉄筋に対する桟木の固定作業が簡易になる。
【０００９】
第２観点に係る桟木固定具は、第１観点に係る桟木固定具であって、鉄筋は径方向外側に突出した凸部を長手方向における所定の間隔で有する異形棒鋼である。この桟木固定具は、固定穴を有している。固定穴は、鉄筋挟持部が鉄筋を径方向外側から挟持している状態で、鉄筋の凸部を貫通させる。また、固定穴の縁の一部は、鉄筋挟持部が鉄筋を径方向外側から挟持している状態で鉄筋の凸部に対する鉄筋の長手方向の一方側と他方側に沿うように設けられている。
【００１０】
この桟木固定具は、固定穴が設けられていることで、異形棒鋼である鉄筋に固定された状態で、鉄筋の長手方向に対するズレを抑制させることが可能になっている。具体的には、桟木固定具の固定穴の縁の一部が、異形棒鋼の鉄筋に設けられている凸部の一方側と他方側において沿うように位置しているため、当該凸部と固定穴の縁が当接することにより、それ以上の桟木固定具の移動（鉄筋の長手方向における固定位置のズレ）を抑制することができている。
【００１１】
第３観点に係る桟木固定具は、第１観点または第２観点に係る桟木固定具であって、桟木挟持部は、第１桟木挟持面部および第２桟木挟持面部と、第１固定爪部と、第２固定爪部と、を有している。第１桟木挟持面部および第２桟木挟持面部は、それぞれ、鉄筋の長手方向における一方側と他方側において桟木の面と対面するように広がっている。第１固定爪部は、第１桟木挟持面部から第２桟木挟持面部に向けて突出している。第２固定爪部は、第２桟木挟持面部から第１桟木挟持面部に向けて突出している。
【００１２】
この桟木固定具では、第１桟木挟持面部および第２桟木挟持面部を有していることで、桟木を面で支持することが可能になるため、支持を安定的にすることができる。さらに、第１固定爪部と第２固定爪部を有していることで、支持された桟木の脱落を抑制することが可能になっている。
【００１３】
第４観点に係る桟木固定具は、第１観点から第３観点のいずれかに係る桟木固定具であって、樹脂によって一体的に構成されている。
【００１４】
この桟木固定具は、樹脂によって一体的に構成されているため、樹脂の弾性力を用いて挟持させることが可能であり、取り扱いも容易になる。
【発明の効果】
【００１５】
本願発明に係る桟木固定具では、鉄筋に対する桟木の固定作業が簡易になる。
【図面の簡単な説明】
【００１６】
【図１】桟木固定具の外観斜視図である。
【図２】桟木固定具の正面図である。
【図３】桟木固定具の左側面図である。
【図４】桟木固定具の下面図である。
【図５】桟木固定具の爪部分のＡ−Ａ断面図である。
【図６】桟木固定具の爪部分のＢ―Ｂ断面図である。
【図７】桟木固定具を固定する鉄筋の外観斜視図である。
【図８】桟木の外観斜視図である。
【図９】桟木固定具の利用状態の一態様を示す図である。
【発明を実施するための形態】
【００１７】
以下、桟木固定具の一実施形態を例に挙げて説明するが、本願発明はこれに限定されるものではない。
【００１８】
桟木固定具１０について、図１において外観斜視図を、図２において正面図を、図３において左側面図を、図４において下面図を、それぞれ示す。また、図７において、桟木固定具１０が固定される鉄筋４０を示す。図８において、桟木３０の外観斜視図を示す。
【００１９】
桟木固定具１０は、桟木３０を鉄筋４０に固定するための固定具である。
【００２０】
鉄筋４０は、図７に示すように、略円筒形状の鋼材によって構成されている。鉄筋４０は、鉄筋本体４１と、リブ４２と、複数の凸部４３と、を有している。鉄筋本体４１は、鉄筋４０のうち、長手方向に沿って伸びた円筒形状部分を構成している。リブ４２は、鉄筋本体４１の径方向外側の一部と当該一部とは反対側の一部において径方向外側に突出して形成された部分が鉄筋本体４１の長手方向に沿って伸びるように設けられている。凸部４３は、リブ４２以外の部分において鉄筋本体４１の径方向外側を沿うように突出した形状を有しており、鉄筋本体４１の長手方向において所定の間隔で複数設けられている。なお、凸部４３は、特に限定されないが、例えば、リブ４２を介して一方側と他方側において設けられている位置がずらされていてもよい。このような鉄筋４０としては、所謂、異形棒鋼が好ましい。なお、異形棒鋼としては、特に限定されないが、Ｄ１０やＤ１３等が挙げられる。
【００２１】
桟木３０は、図８に示すように、略直方体形状の木材によって構成されている。桟木３０は、上面３１、下面３２、背面３３、正面３４、左側面３５、右側面３６を有している。桟木３０の各辺の寸法については特に限定されないが、例えば、図８において紙面の上下方向の辺が６ｃｍ、紙面の左右方向の辺が３ｃｍ、残りの辺が３ｍ〜４ｍ程度の大きさのものを用いることができる。
【００２２】
桟木固定具１０は、本体部１１と、鉄筋４０を径方向外側から挟持する鉄筋挟持部と、鉄筋の長手方向における一方側と他方側から桟木３０を挟持する桟木挟持部と、を備えている。
【００２３】
本体部１１は、桟木固定具１０の中心となる板状部材であり、固定される鉄筋４０の長手方向に沿って伸びた形状を有している。ここで、本体部１１は、本体部１１の長手方向の中心近傍のうち鉄筋挟持部が伸び出している部分の一部において、板厚方向に貫通した固定穴１１ａを複数有している。固定穴１１ａの長手方向は、本体部１１の長手方向に対して直行するように設けられている。本実施形態においては、固定穴１１ａは、本体部１１の長手方向に並んで２つ設けられている。固定穴１１ａの長手方向の両端部は、本体部１１を超えて鉄筋挟持部の一部にまで達している。
【００２４】
鉄筋挟持部は、本体部１１のうち、本体部１１の長手方向中心付近の左側端部から正面側に伸び出した左鉄筋挟持部１４と、右側端部から正面側に伸び出した右鉄筋挟持部１５と、を有している。左鉄筋挟持部１４は、図１４に示すように、本体部１１から離れるにつれて僅かに左側に湾曲した後に右側に湾曲して構成される第１左鉄筋挟持部１４ａと、第１左鉄筋挟持部１４ａの本体部１１から最も離れた部分からさらに本体部１１から離れる方向に向かいつつ左側に折れ曲がるようにして伸びている第２左鉄筋挟持部１４ｂと、を有している。右鉄筋挟持部１５は、同様に、図１４に示すように、本体部１１から離れるにつれて僅かに右側に湾曲した後に左側に湾曲して構成される第１右鉄筋挟持部１５ａと、第１右鉄筋挟持部１５ａの本体部１１から最も離れた部分からさらに本体部１１から離れる方向に向かいつつ右側に折れ曲がるようにして伸びている第２右鉄筋挟持部１５ｂと、を有している。第１左鉄筋挟持部１４ａと第１右鉄筋挟持部１５ａとは、弾性変形することによる板バネを構成しており、鉄筋４０を径方向外側から挟持することが可能になっている。ここで、第１左鉄筋挟持部１４ａと第２左鉄筋挟持部１４ｂとの境界部分と、第１右鉄筋挟持部１５ａと第２右鉄筋挟持部１５ｂとの境界部分と、の間の距離は、対象とする鉄筋４０の外径（凸部４３の外側の径）よりもわずかに小さくなるように構成されている。第２左鉄筋挟持部１４ｂと第２右鉄筋挟持部１５ｂとは、本体部１１から離れるほど互いの距離が広がるように構成されているため、ユーザは、鉄筋４０に対して、桟木固定具１０のうち第２左鉄筋挟持部１４ｂと第２右鉄筋挟持部１５ｂとの間の部分を押し当てるようにすることで、第１左鉄筋挟持部１４ａと第１右鉄筋挟持部１５ａとの間に鉄筋４０を入れ込んで、容易に固定することが可能になっている。ここで、桟木固定具１０を鉄筋４０に固定した状態では、鉄筋４０の凸部４３が桟木固定具１０の固定穴１１ａを貫通した状態となるように桟木固定具１０が構成されている。ここで、桟木固定具１０の２つの固定穴１１ａは、それぞれ鉄筋４０の凸部４３の１つを貫通させている。桟木固定具１０の固定穴１１ａは、鉄筋４０に固定された状態では、対応する鉄筋４０の凸部４３の縁（鉄筋４０の長手方向の上方の縁と下方の縁）の外側を沿うように位置する。これにより、桟木固定具１０が鉄筋４０に固定された状態では、桟木固定具１０が鉄筋４０の長手方向にずれてしまうことを抑制することができている。
【００２５】
桟木挟持部は、本体部１１のうち、本体部１１の長手方向（鉄筋４０の長手方向）における一方側と他方側から桟木３０を挟持するための、上面桟木挟持部１２と下面桟木挟持部１３とを有している。
【００２６】
上面桟木挟持部１２は、本体部１１の長手方向の上方端部から、左鉄筋挟持部１４や右鉄筋挟持部１５が伸び出している側とは反対側に向けて伸び出しており、主として法線方向が上下方向である板状部分を構成している。上面桟木挟持部１２の中央から本体部１１側にずれた位置には、板厚方向に貫通した円形の上面円形貫通孔１２ｃが設けられている。上面桟木挟持部１２のうち上面円形貫通孔１２ｃの左右には、それぞれ板厚方向に貫通した矩形の上面矩形貫通孔１２ａが設けられている。上面桟木挟持部１２は、上面桟木挟持部１２の下面側であって各上面矩形貫通孔１２ａの本体部１１側とは反対側の部分から下面側に向けて突出した第１固定爪部１２ｂが設けられている。
【００２７】
下面桟木挟持部１３は、本体部１１の長手方向の下方端部から、左鉄筋挟持部１４や右鉄筋挟持部１５が伸び出している側とは反対側に向けて伸び出しており、主として法線方向が上下方向である板状部分を構成している。下面桟木挟持部１３の中央から本体部１１側にずれた位置には、板厚方向に貫通した円形の下面円形貫通孔１３ｃが設けられている。下面桟木挟持部１３のうち下面円形貫通孔１３ｃの左右には、それぞれ板厚方向に貫通した矩形の下面矩形貫通孔１３ａが設けられている。下面桟木挟持部１３は、下面桟木挟持部１３の下面側であって各下面矩形貫通孔１３ａの本体部１１側とは反対側の部分から上面側に向けて突出した第２固定爪部１３ｂが設けられている。
【００２８】
第１固定爪部１２ｂと第２固定爪部１３ｂとは、桟木３０を挟んだ状態で、桟木固定具１０に対する桟木３０の移動を抑制することが可能になっている。
【００２９】
ここで、図４に示すＡ−Ａ断面における第２固定爪部１３ｂおよびその周囲の様子を図５に示す。また、図４に示すＢ−Ｂ断面における第２固定爪部１３ｂおよびその周囲の様子を図６に示す。ここに示すように、第２固定爪部１３ｂは、下面桟木挟持部１３の上面からさらに上面側に向けて距離ｄだけ突出するように設けられている。特に限定されないが、本実施形態では、桟木３０の固定安定性を確保して桟木３０の取り外しが可能となるように、距離ｄを１〜２ｍｍ、より好ましくは１．２ｍｍとしている。なお、第２固定爪部１３ｂは、図５に示すように、本体部１１側における下面桟木挟持部１３に略垂直な面と、本体部１１側とは反対側における傾斜面と、を有するように構成されている。これにより、桟木固定具１０のうち上面桟木挟持部１２と下面桟木挟持部１３との間に対して背面側から、桟木３０を挿入しやすく引き抜きにくいようにすることができている。また、第２固定爪部１３ｂは、図６に示すように、下面桟木挟持部１３から最も離れた部分の左右両端の角が丸みを帯びるように構成されたＲ部１３ｘをそれぞれ有している。しかも、各第２固定爪部１３ｂの下面桟木挟持部１３から最も離れた部分は、いずれも左右方向に並ぶように設けられている。これにより、桟木固定具１０に対して桟木３０が固定された状態であっても、桟木固定具１０の左右方向については桟木３０をスライド移動させやすくすることが可能になっている。すなわち、桟木固定具１０に対して桟木３０を固定した状態であっても、左右方向についての桟木３０の位置の微修正を行いやすくすることができている。なお、上述の点については、いずれも上面桟木挟持部１２の第１固定爪部１２ｂについても同様である。
【００３０】
なお、桟木固定具１０は、金属または樹脂によって一体的に構成させることができるが、錆びを抑制する観点からは樹脂が好ましい。
【００３１】
桟木固定具１０は、板状部分の厚みを１．５〜２．５ｍｍとすることができ、１．８ｍｍとすることが好ましい。
【００３２】
以下、上述した桟木固定具１０の使用例を説明するが、桟木固定具１０の使用例はこれに限定されるものではなく任意の型枠作成時等に用いることができる。
【００３３】
ここでは、マンション建設時において玄関と室内との段差を設けるために桟木３０を利用する場合であって、図９に示すように、鉄筋４０の下端が地中に埋められており、鉄筋４０の一部がコンクリートスラブ７０により覆われるようにして、鉄筋４０が立設されている場合を例に説明する。コンクリートスラブ７０は、図９紙面において、鉄筋４０付近よりも左側における玄関面７１と、鉄筋４０付近よりも右側であって玄関面７１よりも低いスラブ面７２と、を有して構成されている。玄関面７１は玄関を構成しており、スラブ面７２はその上方に室内の床面８１を構成する床部８０が設けられる。
【００３４】
ここで、鉄筋４０は、図９の紙面奥行き方向に複数並んで設けられている。
【００３５】
コンクリートスラブ７０のスラブ面７２の上には、複数本のポリバタ５０が配置され、当該ポリバタによってパネル６０が支えられている。このパネル６０は、コンクリートを流し込む型枠の底面として用いられる。なお、コンクリートスラブ７０のスラブ面７２とパネル６０との間のポリバタ５０が位置している空間は、下水配管や電気配線等を張り巡らせる空間として用いられる。
【００３６】
ユーザは、コンクリートを流し込む型枠の側面を構成する桟木３０を、鉄筋４０に対して取り付ける。ここで、まず、複数の鉄筋４０に対して垂直な方向に並んで同じ高さ位置に桟木固定具１０が固定できるように、複数の鉄筋４０における桟木固定具１０の取付高さ位置の特定を行う。ここで、取付高さ位置の特定は、特に限定されないが、例えば、レーザー光によって同一の高さ位置を示し、当該レーザー光が示す位置に対してそれぞれ桟木固定具１０を取り付けていってもよい。また、レーザー光に限らず、テンションを掛けた紐や棒状物を用いて取付高さ位置を特定してもよい。このようにして、各鉄筋４０に対してそれぞれ桟木固定具１０が取り付けられる。具体的には、桟木固定具１０のうちの左鉄筋挟持部１４と右鉄筋挟持部１５によって鉄筋４０が径方向外側から挟持されることになる。
【００３７】
そして、桟木３０は、鉄筋４０に取り付けられている桟木固定具１０に対して固定される。具体的には、桟木３０は、桟木固定具１０のうち上面桟木挟持部１２と下面桟木挟持部１３との間に挿入されることで固定される。桟木３０は、桟木固定具１０の本体部１１に対して正面３４が面するように挿入され、図９において左側面３５が紙面手前側を向いた状態で挿入される。桟木固定具１０に固定された桟木３０は、第１固定爪部１２ｂおよび第２固定爪部１３ｂにより実質的に固定された状態となるが、上述したように、桟木３０の長手方向（鉄筋４０が並んでいる方向）に対しては第１固定爪部１２ｂおよび第２固定爪部１３ｂが当該方向に平行に伸びるように設けられているため、桟木３０に力を加えることで移動させることも可能である。このように、桟木３０を桟木固定具１０に取り付けた後であっても、桟木３０の長手方向（鉄筋４０が並んでいる方向）に対しては位置の微調整を行うことが可能になっている。
【００３８】
床部８０は、上述のようにして作成された型枠に対してコンクリートが流し込まれることで形成される。このようにして形成された床部８０の上面は、床面８１として室内を構成する。
【００３９】
以上のように、桟木固定具１０を用いて鉄筋４０に桟木３０を簡便に固定することができるため、従来のように、桟木３０を鉄筋４０に対してワイヤで巻き付けて固定する等の煩雑な作業が不要となっている。そして、桟木３０は、桟木固定具１０によって十分に固定されるため、例えば、ポリバタ５０等を用いて桟木３０を下から支える必要もない。
【００４０】
なお、上述の例のように桟木固定具１０が用いられる場合には、型枠にコンクリートが流し込まれることで床部８０が形成されると、桟木固定具１０の一部についてもコンクリート内に埋まってしまうことになるが、桟木３０を取り外した後に、桟木固定具１０の上面桟木挟持部１２や下面桟木挟持部１３を折り曲げる等により切断してもよい。当該桟木固定具１０が残った部分については、さらに外側から化粧パネル等で覆われることとなる。
【００４１】
なお、上記例では、桟木３０は、玄関と室内の床面との段差を設けるものとして用いられる場合を例に挙げて説明したが、これに限られるものではなく、例えば、ベランダと室内の段差や、階段の段差等の任意の段差を設ける際に用いることができる。
【符号の説明】
【００４２】
１０  桟木固定具
１１  本体部
１１ａ  固定穴
１２  上面桟木挟持部（第１桟木挟持面部）
１２ｂ  第１固定爪部
１３  下面桟木挟持部（第２桟木挟持面部）
１３ｂ  第２固定爪部
１４  左鉄筋挟持部
１５  右鉄筋挟持部
５０  ポリバタ
６０  パネル
７０  コンクリートスラブ
７１  玄関面
７２  スラブ面
８０  床部
８１  床面
【先行技術文献】
【特許文献】
【００４３】
【特許文献１】特開２００４−２６３４１１号公報
【図１】
2017002666.tif 000003
【図２】
2017002666.tif 000004
【図３】
2017002666.tif 000005
【図４】
2017002666.tif 000006
【図５】
2017002666.tif 000007
【図６】
2017002666.tif 000008
【図７】
2017002666.tif 000009
【図８】
2017002666.tif 000010
【図９】
2017002666.tif 000011
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
桟木（３０）を鉄筋（４０）に固定するための桟木固定具（１０）であって、
板状の本体部（１１）と、
鉄筋を径方向外側から挟持する鉄筋挟持部（１４、１５）と、
前記鉄筋の長手方向における一方側と他方側から桟木を挟持する桟木挟持部（１２、１３）と、
を備え、
前記鉄筋挟持部と前記桟木挟持部とは、いずれも前記本体部から伸び出している、
桟木固定具。
【請求項２】
前記鉄筋は、径方向外側に突出した凸部（４３）を長手方向における所定の間隔で有する異形棒鋼であり、
前記鉄筋挟持部が前記鉄筋を径方向外側から挟持している状態で前記凸部を貫通させる固定穴（１１ａ）を有しており、
前記固定穴の縁の一部は、前記鉄筋挟持部が前記鉄筋を径方向外側から挟持している状態で前記凸部に対する前記鉄筋の長手方向の一方側と他方側に沿うように設けられている、
請求項１に記載の桟木固定具。
【請求項３】
前記桟木挟持部は、前記鉄筋の長手方向における一方側と他方側において桟木の面と対面するように広がった第１桟木挟持面部（１２）および第２桟木挟持面部（１３）と、前記第１桟木挟持面部から前記第２桟木挟持面部に向けて突出した第１固定爪部（１２ｂ）と、前記第２桟木挟持面部から前記第１桟木挟持面部に向けて突出した第２固定爪部（１３ｂ）と、を有している、
請求項１または２に記載の桟木固定具。
【請求項４】
樹脂によって一体的に構成されている、
請求項１から３のいずれか１項に記載の桟木固定具。
【請求項５】
桟木（３０）を鉄筋（４０）に固定するための桟木固定具（１０）であって、
鉄筋を径方向外側から挟持する鉄筋挟持部（１４、１５）と、
前記鉄筋の長手方向における一方側と他方側から桟木を挟持する桟木挟持部（１２、１３）と、
を備えており、
前記鉄筋挟持部と前記桟木挟持部とが一体的に構成されている、
桟木固定具。
【手続補正２】
【補正対象書類名】明細書
【補正対象項目名】全文
【補正方法】変更
【補正の内容】
【発明の詳細な説明】
【技術分野】
【０００１】
本発明は、桟木固定具に関する。
【背景技術】
【０００２】
従来より、建設現場においては、コンクリートの型枠を設けるため等の用途で桟木が用いられている。
【０００３】
例えば、特許文献１（特開２００４−２６３４１１号公報）に記載の例では、鉛直に伸びる杭に対して、桟木をワイヤで巻き付けて固定することで、コンクリートの型枠を形成する例が開示されている。また、鉛直方向に伸びる鉄筋において桟木を支持するための鉄筋からなるアームを設け、当該アームに桟木を支持させる例が開示されている。
【発明の概要】
【発明が解決しようとする課題】
【０００４】
ところが、上述したように桟木をワイヤで巻き付けて杭に固定する場合には、固定作業が繁雑であり、ワイヤによる固定が不十分である場合には桟木が固定位置からズレたり脱落したりする問題がある。
【０００５】
また、上述の鉛直部分とアーム部分とを備えた鉄筋を用いる場合には、このような特別な鉄筋を容易する必要がある。
【０００６】
本発明の課題は、上述した点に鑑みてなされたものであり、鉄筋に対して桟木を簡易に固定することが可能な桟木固定具を提供することにある。
【課題を解決するための手段】
【０００７】
第１観点に係る桟木固定具は、桟木を鉄筋に固定するための桟木固定具であって、本体部と、鉄筋挟持部と、桟木挟持部と、を備えている。本体部は、板状である。鉄筋挟持部は、鉄筋を径方向外側から挟持する。桟木挟持部は、鉄筋の長手方向における一方側と他方側から桟木を挟持する。鉄筋挟持部と桟木挟持部とは、いずれも本体部から伸び出している。
【０００８】
この桟木固定具は、鉄筋挟持部を用いて鉄筋に固定し、桟木を桟木挟持部に固定させることで、鉄筋に対する桟木の固定作業が簡易になる。
【０００９】
第２観点に係る桟木固定具は、第１観点に係る桟木固定具であって、鉄筋は径方向外側に突出した凸部を長手方向における所定の間隔で有する異形棒鋼である。この桟木固定具は、固定穴を有している。固定穴は、鉄筋挟持部が鉄筋を径方向外側から挟持している状態で、鉄筋の凸部を貫通させる。また、固定穴の縁の一部は、鉄筋挟持部が鉄筋を径方向外側から挟持している状態で鉄筋の凸部に対する鉄筋の長手方向の一方側と他方側に沿うように設けられている。
【００１０】
この桟木固定具は、固定穴が設けられていることで、異形棒鋼である鉄筋に固定された状態で、鉄筋の長手方向に対するズレを抑制させることが可能になっている。具体的には、桟木固定具の固定穴の縁の一部が、異形棒鋼の鉄筋に設けられている凸部の一方側と他方側において沿うように位置しているため、当該凸部と固定穴の縁が当接することにより、それ以上の桟木固定具の移動（鉄筋の長手方向における固定位置のズレ）を抑制することができている。
【００１１】
第３観点に係る桟木固定具は、第１観点または第２観点に係る桟木固定具であって、桟木挟持部は、第１桟木挟持面部および第２桟木挟持面部と、第１固定爪部と、第２固定爪部と、を有している。第１桟木挟持面部および第２桟木挟持面部は、それぞれ、鉄筋の長手方向における一方側と他方側において桟木の面と対面するように広がっている。第１固定爪部は、第１桟木挟持面部から第２桟木挟持面部に向けて突出している。第２固定爪部は、第２桟木挟持面部から第１桟木挟持面部に向けて突出している。
【００１２】
この桟木固定具では、第１桟木挟持面部および第２桟木挟持面部を有していることで、桟木を面で支持することが可能になるため、支持を安定的にすることができる。さらに、第１固定爪部と第２固定爪部を有していることで、支持された桟木の脱落を抑制することが可能になっている。
【００１３】
第４観点に係る桟木固定具は、第１観点から第３観点のいずれかに係る桟木固定具であって、樹脂によって一体的に構成されている。
【００１４】
この桟木固定具は、樹脂によって一体的に構成されているため、樹脂の弾性力を用いて挟持させることが可能であり、取り扱いも容易になる。
【００１５】
第５観点に係る桟木固定具は、桟木を鉄筋に固定するための桟木固定具であって、鉄筋挟持部と、桟木挟持部と、を備えている。鉄筋挟持部は、鉄筋を径方向外側から挟持する。桟木挟持部は、鉄筋の長手方向における一方側と他方側から桟木を挟持する。鉄筋挟持部と桟木挟持部とが一体的に構成されている。
【００１６】
この桟木固定具は、鉄筋挟持部を用いて鉄筋に固定し、桟木を桟木挟持部に固定させることで、鉄筋に対する桟木の固定作業が簡易になる。
【発明の効果】
【００１７】
本願発明に係る桟木固定具では、鉄筋に対する桟木の固定作業が簡易になる。
【図面の簡単な説明】
【００１８】
【図１】桟木固定具の外観斜視図である。
【図２】桟木固定具の正面図である。
【図３】桟木固定具の左側面図である。
【図４】桟木固定具の下面図である。
【図５】桟木固定具の爪部分のＡ−Ａ断面図である。
【図６】桟木固定具の爪部分のＢ―Ｂ断面図である。
【図７】桟木固定具を固定する鉄筋の外観斜視図である。
【図８】桟木の外観斜視図である。
【図９】桟木固定具の利用状態の一態様を示す図である。
【発明を実施するための形態】
【００１９】
以下、桟木固定具の一実施形態を例に挙げて説明するが、本願発明はこれに限定されるものではない。
【００２０】
桟木固定具１０について、図１において外観斜視図を、図２において正面図を、図３において左側面図を、図４において下面図を、それぞれ示す。また、図７において、桟木固定具１０が固定される鉄筋４０を示す。図８において、桟木３０の外観斜視図を示す。
【００２１】
桟木固定具１０は、桟木３０を鉄筋４０に固定するための固定具である。
【００２２】
鉄筋４０は、図７に示すように、略円筒形状の鋼材によって構成されている。鉄筋４０は、鉄筋本体４１と、リブ４２と、複数の凸部４３と、を有している。鉄筋本体４１は、鉄筋４０のうち、長手方向に沿って伸びた円筒形状部分を構成している。リブ４２は、鉄筋本体４１の径方向外側の一部と当該一部とは反対側の一部において径方向外側に突出して形成された部分が鉄筋本体４１の長手方向に沿って伸びるように設けられている。凸部４３は、リブ４２以外の部分において鉄筋本体４１の径方向外側を沿うように突出した形状を有しており、鉄筋本体４１の長手方向において所定の間隔で複数設けられている。なお、凸部４３は、特に限定されないが、例えば、リブ４２を介して一方側と他方側において設けられている位置がずらされていてもよい。このような鉄筋４０としては、所謂、異形棒鋼が好ましい。なお、異形棒鋼としては、特に限定されないが、Ｄ１０やＤ１３等が挙げられる。
【００２３】
桟木３０は、図８に示すように、略直方体形状の木材によって構成されている。桟木３０は、上面３１、下面３２、背面３３、正面３４、左側面３５、右側面３６を有している。桟木３０の各辺の寸法については特に限定されないが、例えば、図８において紙面の上下方向の辺が６ｃｍ、紙面の左右方向の辺が３ｃｍ、残りの辺が３ｍ〜４ｍ程度の大きさのものを用いることができる。
【００２４】
桟木固定具１０は、本体部１１と、鉄筋４０を径方向外側から挟持する鉄筋挟持部と、鉄筋の長手方向における一方側と他方側から桟木３０を挟持する桟木挟持部と、を備えている。
【００２５】
本体部１１は、桟木固定具１０の中心となる板状部材であり、固定される鉄筋４０の長手方向に沿って伸びた形状を有している。ここで、本体部１１は、本体部１１の長手方向の中心近傍のうち鉄筋挟持部が伸び出している部分の一部において、板厚方向に貫通した固定穴１１ａを複数有している。固定穴１１ａの長手方向は、本体部１１の長手方向に対して直行するように設けられている。本実施形態においては、固定穴１１ａは、本体部１１の長手方向に並んで２つ設けられている。固定穴１１ａの長手方向の両端部は、本体部１１を超えて鉄筋挟持部の一部にまで達している。
【００２６】
鉄筋挟持部は、本体部１１のうち、本体部１１の長手方向中心付近の左側端部から正面側に伸び出した左鉄筋挟持部１４と、右側端部から正面側に伸び出した右鉄筋挟持部１５と、を有している。左鉄筋挟持部１４は、図１４に示すように、本体部１１から離れるにつれて僅かに左側に湾曲した後に右側に湾曲して構成される第１左鉄筋挟持部１４ａと、第１左鉄筋挟持部１４ａの本体部１１から最も離れた部分からさらに本体部１１から離れる方向に向かいつつ左側に折れ曲がるようにして伸びている第２左鉄筋挟持部１４ｂと、を有している。右鉄筋挟持部１５は、同様に、図１４に示すように、本体部１１から離れるにつれて僅かに右側に湾曲した後に左側に湾曲して構成される第１右鉄筋挟持部１５ａと、第１右鉄筋挟持部１５ａの本体部１１から最も離れた部分からさらに本体部１１から離れる方向に向かいつつ右側に折れ曲がるようにして伸びている第２右鉄筋挟持部１５ｂと、を有している。第１左鉄筋挟持部１４ａと第１右鉄筋挟持部１５ａとは、弾性変形することによる板バネを構成しており、鉄筋４０を径方向外側から挟持することが可能になっている。ここで、第１左鉄筋挟持部１４ａと第２左鉄筋挟持部１４ｂとの境界部分と、第１右鉄筋挟持部１５ａと第２右鉄筋挟持部１５ｂとの境界部分と、の間の距離は、対象とする鉄筋４０の外径（凸部４３の外側の径）よりもわずかに小さくなるように構成されている。第２左鉄筋挟持部１４ｂと第２右鉄筋挟持部１５ｂとは、本体部１１から離れるほど互いの距離が広がるように構成されているため、ユーザは、鉄筋４０に対して、桟木固定具１０のうち第２左鉄筋挟持部１４ｂと第２右鉄筋挟持部１５ｂとの間の部分を押し当てるようにすることで、第１左鉄筋挟持部１４ａと第１右鉄筋挟持部１５ａとの間に鉄筋４０を入れ込んで、容易に固定することが可能になっている。ここで、桟木固定具１０を鉄筋４０に固定した状態では、鉄筋４０の凸部４３が桟木固定具１０の固定穴１１ａを貫通した状態となるように桟木固定具１０が構成されている。ここで、桟木固定具１０の２つの固定穴１１ａは、それぞれ鉄筋４０の凸部４３の１つを貫通させている。桟木固定具１０の固定穴１１ａは、鉄筋４０に固定された状態では、対応する鉄筋４０の凸部４３の縁（鉄筋４０の長手方向の上方の縁と下方の縁）の外側を沿うように位置する。これにより、桟木固定具１０が鉄筋４０に固定された状態では、桟木固定具１０が鉄筋４０の長手方向にずれてしまうことを抑制することができている。
【００２７】
桟木挟持部は、本体部１１のうち、本体部１１の長手方向（鉄筋４０の長手方向）における一方側と他方側から桟木３０を挟持するための、上面桟木挟持部１２と下面桟木挟持部１３とを有している。
【００２８】
上面桟木挟持部１２は、本体部１１の長手方向の上方端部から、左鉄筋挟持部１４や右鉄筋挟持部１５が伸び出している側とは反対側に向けて伸び出しており、主として法線方向が上下方向である板状部分を構成している。上面桟木挟持部１２の中央から本体部１１側にずれた位置には、板厚方向に貫通した円形の上面円形貫通孔１２ｃが設けられている。上面桟木挟持部１２のうち上面円形貫通孔１２ｃの左右には、それぞれ板厚方向に貫通した矩形の上面矩形貫通孔１２ａが設けられている。上面桟木挟持部１２は、上面桟木挟持部１２の下面側であって各上面矩形貫通孔１２ａの本体部１１側とは反対側の部分から下面側に向けて突出した第１固定爪部１２ｂが設けられている。
【００２９】
下面桟木挟持部１３は、本体部１１の長手方向の下方端部から、左鉄筋挟持部１４や右鉄筋挟持部１５が伸び出している側とは反対側に向けて伸び出しており、主として法線方向が上下方向である板状部分を構成している。下面桟木挟持部１３の中央から本体部１１側にずれた位置には、板厚方向に貫通した円形の下面円形貫通孔１３ｃが設けられている。下面桟木挟持部１３のうち下面円形貫通孔１３ｃの左右には、それぞれ板厚方向に貫通した矩形の下面矩形貫通孔１３ａが設けられている。下面桟木挟持部１３は、下面桟木挟持部１３の下面側であって各下面矩形貫通孔１３ａの本体部１１側とは反対側の部分から上面側に向けて突出した第２固定爪部１３ｂが設けられている。
【００３０】
第１固定爪部１２ｂと第２固定爪部１３ｂとは、桟木３０を挟んだ状態で、桟木固定具１０に対する桟木３０の移動を抑制することが可能になっている。
【００３１】
ここで、図４に示すＡ−Ａ断面における第２固定爪部１３ｂおよびその周囲の様子を図５に示す。また、図４に示すＢ−Ｂ断面における第２固定爪部１３ｂおよびその周囲の様子を図６に示す。ここに示すように、第２固定爪部１３ｂは、下面桟木挟持部１３の上面からさらに上面側に向けて距離ｄだけ突出するように設けられている。特に限定されないが、本実施形態では、桟木３０の固定安定性を確保して桟木３０の取り外しが可能となるように、距離ｄを１〜２ｍｍ、より好ましくは１．２ｍｍとしている。なお、第２固定爪部１３ｂは、図５に示すように、本体部１１側における下面桟木挟持部１３に略垂直な面と、本体部１１側とは反対側における傾斜面と、を有するように構成されている。これにより、桟木固定具１０のうち上面桟木挟持部１２と下面桟木挟持部１３との間に対して背面側から、桟木３０を挿入しやすく引き抜きにくいようにすることができている。また、第２固定爪部１３ｂは、図６に示すように、下面桟木挟持部１３から最も離れた部分の左右両端の角が丸みを帯びるように構成されたＲ部１３ｘをそれぞれ有している。しかも、各第２固定爪部１３ｂの下面桟木挟持部１３から最も離れた部分は、いずれも左右方向に並ぶように設けられている。これにより、桟木固定具１０に対して桟木３０が固定された状態であっても、桟木固定具１０の左右方向については桟木３０をスライド移動させやすくすることが可能になっている。すなわち、桟木固定具１０に対して桟木３０を固定した状態であっても、左右方向についての桟木３０の位置の微修正を行いやすくすることができている。なお、上述の点については、いずれも上面桟木挟持部１２の第１固定爪部１２ｂについても同様である。
【００３２】
なお、桟木固定具１０は、金属または樹脂によって一体的に構成させることができるが、錆びを抑制する観点からは樹脂が好ましい。
【００３３】
桟木固定具１０は、板状部分の厚みを１．５〜２．５ｍｍとすることができ、１．８ｍｍとすることが好ましい。
【００３４】
以下、上述した桟木固定具１０の使用例を説明するが、桟木固定具１０の使用例はこれに限定されるものではなく任意の型枠作成時等に用いることができる。
【００３５】
ここでは、マンション建設時において玄関と室内との段差を設けるために桟木３０を利用する場合であって、図９に示すように、鉄筋４０の下端が地中に埋められており、鉄筋４０の一部がコンクリートスラブ７０により覆われるようにして、鉄筋４０が立設されている場合を例に説明する。コンクリートスラブ７０は、図９紙面において、鉄筋４０付近よりも左側における玄関面７１と、鉄筋４０付近よりも右側であって玄関面７１よりも低いスラブ面７２と、を有して構成されている。玄関面７１は玄関を構成しており、スラブ面７２はその上方に室内の床面８１を構成する床部８０が設けられる。
【００３６】
ここで、鉄筋４０は、図９の紙面奥行き方向に複数並んで設けられている。
【００３７】
コンクリートスラブ７０のスラブ面７２の上には、複数本のポリバタ５０が配置され、当該ポリバタによってパネル６０が支えられている。このパネル６０は、コンクリートを流し込む型枠の底面として用いられる。なお、コンクリートスラブ７０のスラブ面７２とパネル６０との間のポリバタ５０が位置している空間は、下水配管や電気配線等を張り巡らせる空間として用いられる。
【００３８】
ユーザは、コンクリートを流し込む型枠の側面を構成する桟木３０を、鉄筋４０に対して取り付ける。ここで、まず、複数の鉄筋４０に対して垂直な方向に並んで同じ高さ位置に桟木固定具１０が固定できるように、複数の鉄筋４０における桟木固定具１０の取付高さ位置の特定を行う。ここで、取付高さ位置の特定は、特に限定されないが、例えば、レーザー光によって同一の高さ位置を示し、当該レーザー光が示す位置に対してそれぞれ桟木固定具１０を取り付けていってもよい。また、レーザー光に限らず、テンションを掛けた紐や棒状物を用いて取付高さ位置を特定してもよい。このようにして、各鉄筋４０に対してそれぞれ桟木固定具１０が取り付けられる。具体的には、桟木固定具１０のうちの左鉄筋挟持部１４と右鉄筋挟持部１５によって鉄筋４０が径方向外側から挟持されることになる。
【００３９】
そして、桟木３０は、鉄筋４０に取り付けられている桟木固定具１０に対して固定される。具体的には、桟木３０は、桟木固定具１０のうち上面桟木挟持部１２と下面桟木挟持部１３との間に挿入されることで固定される。桟木３０は、桟木固定具１０の本体部１１に対して正面３４が面するように挿入され、図９において左側面３５が紙面手前側を向いた状態で挿入される。桟木固定具１０に固定された桟木３０は、第１固定爪部１２ｂおよび第２固定爪部１３ｂにより実質的に固定された状態となるが、上述したように、桟木３０の長手方向（鉄筋４０が並んでいる方向）に対しては第１固定爪部１２ｂおよび第２固定爪部１３ｂが当該方向に平行に伸びるように設けられているため、桟木３０に力を加えることで移動させることも可能である。このように、桟木３０を桟木固定具１０に取り付けた後であっても、桟木３０の長手方向（鉄筋４０が並んでいる方向）に対しては位置の微調整を行うことが可能になっている。
【００４０】
床部８０は、上述のようにして作成された型枠に対してコンクリートが流し込まれることで形成される。このようにして形成された床部８０の上面は、床面８１として室内を構成する。
【００４１】
以上のように、桟木固定具１０を用いて鉄筋４０に桟木３０を簡便に固定することができるため、従来のように、桟木３０を鉄筋４０に対してワイヤで巻き付けて固定する等の煩雑な作業が不要となっている。そして、桟木３０は、桟木固定具１０によって十分に固定されるため、例えば、ポリバタ５０等を用いて桟木３０を下から支える必要もない。
【００４２】
なお、上述の例のように桟木固定具１０が用いられる場合には、型枠にコンクリートが流し込まれることで床部８０が形成されると、桟木固定具１０の一部についてもコンクリート内に埋まってしまうことになるが、桟木３０を取り外した後に、桟木固定具１０の上面桟木挟持部１２や下面桟木挟持部１３を折り曲げる等により切断してもよい。当該桟木固定具１０が残った部分については、さらに外側から化粧パネル等で覆われることとなる。
【００４３】
なお、上記例では、桟木３０は、玄関と室内の床面との段差を設けるものとして用いられる場合を例に挙げて説明したが、これに限られるものではなく、例えば、ベランダと室内の段差や、階段の段差等の任意の段差を設ける際に用いることができる。
【符号の説明】
【００４４】
１０  桟木固定具
１１  本体部
１１ａ  固定穴
１２  上面桟木挟持部（第１桟木挟持面部）
１２ｂ  第１固定爪部
１３  下面桟木挟持部（第２桟木挟持面部）
１３ｂ  第２固定爪部
１４  左鉄筋挟持部
１５  右鉄筋挟持部
５０  ポリバタ
６０  パネル
７０  コンクリートスラブ
７１  玄関面
７２  スラブ面
８０  床部
８１  床面
【先行技術文献】
【特許文献】
【００４５】
【特許文献１】特開２００４−２６３４１１号公報